(57)【特許請求の範囲】
【請求項１】
発光部品が実装される配線基板であって、
第１面と、前記第１面の反対側に位置する第２面と、を含み、可撓性を有し、第１方向に延びる樹脂基板と、
前記樹脂基板の前記第１面側に設けられ、前記発光部品が実装される複数の実装用電極部と、
前記樹脂基板の前記第１面側に設けられ、前記実装用電極部に電気的に接続され、線状に延びる複数の配線と、
前記配線を覆うよう前記樹脂基板の前記第１面側に設けられ、白色顔料または気泡が内部に分散された基材を含む反射層と、を備え、
前記樹脂基板には、白色顔料または気泡が分散されており、
前記反射層は、前記配線を覆うよう前記第１方向に沿って線状に延び、前記第１方向に直交する第２方向に沿って並ぶ複数の線状部分を含み、
前記第２方向において隣接する２つの前記線状部分の間には、前記反射層が存在しないスリット部が形成されており、
複数の前記実装用電極部のうちの少なくとも一部の前記実装用電極部は、前記第２方向において隣接する２つの前記線状部分の間に位置している、配線基板。
【請求項２】
前記樹脂基板は、一対の第１側部を含み、
前記スリット部は、前記一対の第１側部が延びる方向に沿って延びている、請求項１に記載の配線基板。
【請求項３】
発光部品が実装された実装基板であって、
請求項１または２に記載の配線基板と、
前記配線基板の前記実装用電極部上に実装された発光部品と、を備える、実装基板。
【請求項４】
前記配線基板の前記実装用電極部と前記発光部品との間には、接合層が介在されており、
前記接合層は、１８０℃以下の温度で融解する低融点半田を含む、請求項３に記載の実装基板。
【請求項５】
請求項３または４に記載の実装基板と、
前記実装基板のうち前記発光部品が実装されている側で前記実装基板との間に間隔を空けて設けられた拡散板と、を備える照明装置。
【請求項６】
発光部品が実装される配線基板の製造方法であって、
可撓性を有し、第１方向に延びる樹脂基板の第１面側に、前記発光部品が実装される複数の実装用電極部を形成する工程と、
前記樹脂基板の前記第１面側に、前記実装用電極部に電気的に接続され、線状に延びる複数の配線を形成する工程と、
前記樹脂基板の前記第１面側に、白色顔料または気泡が内部に分散された基材を含む反射層を、前記配線を覆うよう形成する反射層形成工程と、を備え、
前記樹脂基板には、白色顔料または気泡が分散されており、
前記反射層は、前記配線を覆うよう前記第１方向に沿って線状に延び、前記第１方向に直交する第２方向に沿って並ぶ複数の線状部分を含み、
前記第２方向において隣接する２つの前記線状部分の間には、前記反射層が存在しないスリット部が形成されており、
複数の前記実装用電極部のうちの少なくとも一部の前記実装用電極部は、前記第２方向において隣接する２つの前記線状部分の間に位置している、配線基板の製造方法。
【請求項７】
前記樹脂基板は、第１方向に沿って延びる一対の第１側部を含み、
前記スリット部は、前記第１方向に沿って延びている、請求項６に記載の配線基板の製造方法。
【請求項８】
前記樹脂基板は、前記第１方向に沿って延びる長尺状のものであり、
前記反射層形成工程は、前記樹脂基板を前記第１方向に搬送しながら実施される、請求項７に記載の配線基板の製造方法。
【請求項９】
発光部品が実装された実装基板の製造方法であって、
請求項１または２に記載の配線基板を準備する工程と、
前記配線基板の前記実装用電極部上に発光部品を実装する工程と、を備える、実装基板の製造方法。
【請求項１０】
前記配線基板の前記実装用電極部と前記発光部品との間には、接合層が介在されており、
前記接合層は、１８０℃以下の温度で融解する低融点半田を含む、請求項９に記載の実装基板の製造方法。
【発明の詳細な説明】
【技術分野】
【０００１】
本発明は、発光部品が実装される配線基板およびその製造方法に関する。また本発明は、発光部品が実装された実装基板およびその製造方法に関する。また本発明は、実装基板を備えた照明装置に関する。
【背景技術】
【０００２】
近年、発光ダイオードなどの、点光源として機能する発光素子を備えた発光部品を利用して、照明装置などの発光装置を構成することが提案されている。例えば特許文献１においては、発光部品を駆動するための端子や配線が形成された配線基板を準備し、この配線基板の上に発光部品を実装することにより、発光装置が構成されている。
【０００３】
ところで、発光ダイオードなどの発光素子から放射される光の指向性は、一般に、従来の蛍光灯から放射される光の指向性に比べて高い。このため、例えば発光ダイオードを照明装置において利用する場合、発光ダイオードの形状や配置が利用者によって視認されることを抑制し、かつ発光ダイオードからの直進光を低減するため、一般に、光拡散剤として機能する照明カバーが発光ダイオードを覆うように設けられる。また、発光部品が実装された配線基板の表面には、光の利用効率を高めるため、高い反射率で光を反射することができる反射層が形成されている。
【０００４】
例えば特許文献１においては、酸化チタン、酸化カルシウム、酸化亜鉛などの、高い反射率を実現することができるセラミックス材料の粉末などからなる白色顔料を用いて、配線基板に反射層を形成することが提案されている。このような反射層を備えた配線基板は、例えば、はじめに、配線基板を構成するための基板上に白色顔料を含むペーストを塗布する塗布工程を実施し、次に、ペーストを焼き固める焼成工程を実施することによって、形成される。
【先行技術文献】
【特許文献】
【０００５】
【特許文献１】特開２００６−１４７９９９号公報
【発明の概要】
【発明が解決しようとする課題】
【０００６】
近年、配線基板として、ガラスエポキシ基板などのリジッド基板に代えて、可撓性を有する樹脂基板を備えたもの、いわゆるフレキシブル基板が用いられる傾向がある。フレキシブル基板は、軽量である点、円筒形や山形などの三次元的な形状に対応できる点など、様々な利点を有している。一般的なフレキシブル基板は、ポリエチレンテレフタラートなどの可撓性を有する樹脂材料から構成された樹脂基板と、樹脂基板の表面に形成された、金属製の実装用電極部と、を有している。
【０００７】
フレキシブル基板などの可撓性を有する配線基板を製造する方法として、ロール・トゥー・ロールで供給され搬送されている長尺状の樹脂基板上に上述の実装用電極部や反射層を形成して長尺状の配線基板を作製し、そして配線基板をロール状に巻き取る、という方法が考えられる。一方、反射層を構成するセラミックス材料などの可撓性は、一般に、樹脂基板を構成する樹脂材料の可撓性に比べて低い。また従来、反射層は、樹脂基板上の領域のうち、実装用電極部が形成される領域を除くほぼ全域に設けられている。従って、配線基板をロール状に巻き取る場合、広域にわたって形成されている反射層のいずれかの領域でひび割れなどが生じ、この結果、配線基板の歩留りが低下してしまうことが考えられる。また、反射層にひび割れなどの不良が発生しやすい場合、配線基板に許容される曲げの程度が制限されることになる。例えば、配線基板をロール状に巻き取る際のロール径や、曲面状の物体に配線基板や実装基板を貼り付ける際の、物体の曲面の曲率半径が制限されることになる。
【０００８】
また通常は、樹脂基板を構成する樹脂材料の熱膨張率と、反射層を構成する材料の熱膨張率とは異なっている。従って、樹脂基板および反射層を備える配線基板を加熱すると、樹脂基板と反射層との間の熱膨張率の相違に基づいて、樹脂基板と反射層との間の界面に応力が生じ、この結果、反射層が樹脂基板から剥離してしまうことや、反射層にひび割れが生じてしまうことがある。このような不良は、樹脂基板上に設けられる反射層の面積が大きいほど生じやすいと考えられる。
【０００９】
本発明は、このような点を考慮してなされたものであり、曲げや熱に対する十分な耐性を有する配線基板および実装基板を提供することを目的とする。
【課題を解決するための手段】
【００１０】
本発明は、発光部品が実装される配線基板であって、第１面と、前記第１面の反対側に位置する第２面と、を含み、可撓性を有する樹脂基板と、前記樹脂基板の前記第１面側に設けられ、前記発光部品が実装される実装用電極部と、前記樹脂基板の前記第１面側に設けられ、白色顔料が分散された反射層と、を備え、前記樹脂基板には、白色顔料または気泡が分散されており、前記反射層は、線状に延びる複数の線状部分を含み、隣接する２つの前記線状部分の間には、前記反射層が存在しないスリット部が形成されている、配線基板である。
【００１１】
本発明による配線基板において、前記配線基板は、前記樹脂基板の前記第１面側に設けられ、前記実装用電極部に電気的に接続された配線をさらに備え、前記反射層の前記線状部分は、前記配線を少なくとも部分的に覆うよう前記配線に沿って線状に延びており、前記スリット部は、前記配線が配置されていない場所に形成されていてもよい。
【００１２】
本発明による配線基板において、前記樹脂基板は、一対の第１側部を含み、前記スリット部は、前記一対の第１側部が延びる方向に沿って延びていてもよい。
【００１３】
本発明は、発光部品が実装された実装基板であって、上記記載の配線基板と、前記配線基板の前記実装用電極部上に実装された発光部品と、を備える、実装基板である。
【００１４】
本発明による実装基板において、前記配線基板の前記実装用電極部と前記発光部品との間には、接合層が介在されており、前記接合層は、１８０℃以下の温度で融解する低融点半田を含んでいてもよい。
【００１５】
本発明は、上記記載の実装基板と、前記実装基板のうち前記発光部品が実装されている側で前記実装基板との間に間隔を空けて設けられた拡散板と、を備える照明装置である。
【００１６】
本発明は、発光部品が実装される配線基板の製造方法であって、可撓性を有する樹脂基板の第１面側に、前記発光部品が実装される実装用電極部を形成する工程と、前記樹脂基板の前記第１面側に、白色顔料が分散された反射層を形成する反射層形成工程と、を備え、前記樹脂基板には、白色顔料または気泡が分散されており、前記反射層は、線状に延びる複数の線状部分を含み、隣接する２つの前記線状部分の間には、前記反射層が存在しないスリット部が形成されている、配線基板の製造方法である。
【００１７】
本発明による配線基板の製造方法において、前記樹脂基板の前記第１面側には、前記実装用電極部に電気的に接続された配線が形成されており、前記反射層の前記線状部分は、前記配線を少なくとも部分的に覆うよう前記配線に沿って線状に延びていてもよい。
【００１８】
本発明による配線基板の製造方法において、前記樹脂基板は、第１方向に沿って延びる一対の第１側部を含み、前記スリット部は、前記第１方向に沿って延びていてもよい。
【００１９】
本発明による配線基板の製造方法において、前記樹脂基板は、前記第１方向に沿って延びる長尺状のものであり、前記反射層形成工程は、前記樹脂基板を前記第１方向に搬送しながら実施されてもよい。
【００２０】
本発明は、発光部品が実装された実装基板の製造方法であって、上記記載の配線基板を準備する工程と、前記配線基板の前記実装用電極部上に発光部品を実装する工程と、を備える、実装基板の製造方法である。
【００２１】
本発明による実装基板の製造方法において、前記配線基板の前記実装用電極部と前記発光部品との間には、接合層が介在されており、前記接合層は、１８０℃以下の温度で融解する低融点半田を含んでいてもよい。
【発明の効果】
【００２２】
本発明によれば、配線基板および実装基板における、曲げや熱に対する耐性を十分に高めることができる。
【図面の簡単な説明】
【００２３】
【図１】図１は、本発明の実施の形態による実装基板を示す平面図。
【図２Ａ】図２Ａは、図１に示す実装基板から便宜的に反射層を取り除いた場合を示す平面図。
【図２Ｂ】図２Ｂは、配線の線状部分および反射層の線状部分の変形例を示す平面図。
【図３】図３は、図１の実装基板をIII−III方向から見た断面図。
【図４】図４は、図１の実装基板をIV−IV方向から見た断面図。
【図５】図５は、配線基板を作製するための積層体を示す図。
【図６】図６は、図５に示す積層体の導電層をパターニングすることによって得られた実装用電極部および配線を示す断面図。
【図７】図７は、配線基板を示す断面図。
【図８】図８は、発光部品を実装して実装基板を製造する方法を示す図。
【図９】図９は、実装基板を備えた照明装置の一例を示す断面図。
【発明を実施するための形態】
【００２４】
以下、図１乃至図９を参照して、本発明の実施の形態について説明する。なお、本明細書に添付する図面においては、図示と理解のしやすさの便宜上、適宜縮尺および縦横の寸法比等を、実物のそれらから変更し誇張してある。また本明細書において、「基板」や「シート」の用語は、呼称の違いのみに基づいて、互いから区別されるものではない。例えば、「基板」はシートやフィルムと呼ばれ得るような部材も含む概念である。さらに、本明細書において用いる、形状や幾何学的条件並びにそれらの程度を特定する、例えば、「平行」や「直交」等の用語や長さや角度の値等については、厳密な意味に縛られることなく、同様の機能を期待し得る程度の範囲を含めて解釈することとする。
【００２５】
まず図１，３，４により、配線基板に発光部品６１を実装することによって得られる実装基板６０について説明する。発光部品６１を備える実装基板６０は、後述するように、拡散板として構成された照明カバーや、ベースやハウジングなどの支持部材と組み合わされることによって、照明装置を構成することができる。図１は、実装基板６０を、発光部品６１が実装されている側から見た場合を示す平面図である。図３は、図１の実装基板６０をIII−III方向から見た断面図であり、図４は、図１の実装基板をIV−IV方向から見た断面図である。
【００２６】
実装基板
図１に示すように、実装基板６０は、可撓性を有し、いわゆるフレキシブル基板として機能する配線基板４０と、配線基板４０の後述する実装用電極部４１上に実装された複数の発光部品６１と、を備えている。点光源として機能することができる発光素子を備える限りにおいて、発光部品６１の構成が特に限られることはない。例えば発光素子としては、発光ダイオードを用いることができ、また発光部品６１としては、表面実装型パッケージに収納された発光ダイオードを備えた表面実装型の部品を用いることができる。
【００２７】
なお後述するように、実装基板６０は、ロール状に巻かれた状態で供給される長尺状の積層体を加工して配線基板４０を作製し、この配線基板４０上に発光部品６１を実装し、また発光部品６１を実装する前または後に配線基板４０を切断することによって得られるものである。図１において、積層体および配線基板４０の長尺方向が符号Ｄ１で表されており、長尺方向Ｄ１に直交する方向が符号Ｄ２で表されている。方向Ｄ２は、配線基板４０を切断する方向に相当する。「長尺方向」とは、長尺状の積層体および配線基板４０が延びる方向のことである。なお以下の説明において、長尺方向Ｄ１のことを第１方向Ｄ１と称し、第１方向Ｄ１に直交する方向Ｄ２のことを第２方向Ｄ２と称することもある。
【００２８】
図１に示すように、配線基板４０は、後述する配線４２を介して発光部品６１に電気的に接続された取り出し用電極部４３を含んでいてもよい。取り出し用電極部４３は、図１に示すように、配線基板４０の面のうち発光部品６１が実装された面と同一面に形成されていてもよく、若しくは、図示はしないが、発光部品６１が実装された面とは反対側の面に形成されていてもよい。
【００２９】
図１，３，４に示すように、配線基板４０のうち後述する樹脂基板２１の法線方向に沿って見た場合に発光部品６１、実装用電極部４１および取り出し用電極部４３と重ならない領域には、光を反射する反射層４４が設けられている。このような反射層４４を設けることにより、発光部品６１から放射された後に後述する拡散板などによって反射されて実装基板６０に戻ってきた光を、反射層４４によって反射し、そして照明装置の外部へ出射させることができる。これによって、照明装置における光の利用効率を高めることができる。反射層４４の構成および配置については後述する。
【００３０】
配線基板
次に図３，４を主に参照して、実装基板６０の構成、特に実装基板６０の配線基板４０の構成について詳細に説明する。配線基板４０は、可撓性を有する樹脂基板２１と、樹脂基板２１上に設けられた実装用電極部４１と、実装用電極部４１に接続された配線４２とを備えている。実装用電極部４１は、発光部品６１を実装するための部分であり、パッドやランドとも称されるものである。以下の説明において、樹脂基板２１の面のうち、実装用電極部４１が設けられる側の面を第１面２１ａと称し、第１面２１ａの反対側にある面を第２面２１ｂと称する。上述の配線４２は、実装用電極部４１と取り出し用電極部４３とを電気的に接続するよう、樹脂基板２１の第１面２１ａに設けられている。
【００３１】
上述の図１において、第１面２１ａと第２面２１ｂの間で第１方向Ｄ１に沿って延びる樹脂基板２１の一対の第１側部が符号２１ｃで表されている。また第１方向Ｄ１に直交する第２方向Ｄ２に沿って延びる樹脂基板２１の一対の第２側部が符号２１ｄで表されている。
【００３２】
なお図３，４においては、配線４２が樹脂基板２１の第１面２１ａ側にのみ設けられる例が示されているが、これに限られることはない。例えば、取り出し用電極部４３が、上述のように発光部品６１が実装された側とは反対側に設けられる場合、すなわち樹脂基板２１の第２面２１ｂ側に設けられる場合、配線４２が樹脂基板２１の第２面２１ｂ側に設けられることもある。この場合、実装用電極部４１と配線４２とは、例えば、樹脂基板２１に形成された貫通孔などを介して電気的に接続される。
【００３３】
本実施の形態において、「可撓性」とは、室温例えば２５℃の環境下で配線基板４０を直径３０ｃｍのロール状の形態に巻き取った場合に、配線基板４０に折れ目が生じない程度の柔軟性を意味している。「折れ目」とは、配線基板４０を巻き取る方向に交差する方向において配線基板４０に現れる変形であって、変形を元に戻すように配線基板４０を逆向きに巻き取ったとしても元には戻らない程度の変形を意味している。
【００３４】
（樹脂基板）
樹脂基板２１は、絶縁性を有する樹脂材料によって構成された、可撓性を有する基板である。樹脂基板２１を構成する材料や、樹脂基板２１の厚みは、配線基板４０に求められる可撓性や強度などの特性に応じて適宜定められる。例えば、樹脂基板２１は、ポリエチレンテレフタラートやポリエチレンナフタラートなどのポリエステル樹脂、エポキシ樹脂、または、ポリイミド樹脂を含んでいてもよい。また樹脂基板２１の厚みは、例えば１０μｍ〜３００μｍの範囲内に設定される。
【００３５】
樹脂基板２１は、発光部品６１から放射された後に後述する拡散板などによって反射されて実装基板６０に戻ってきた光を反射して再び拡散板側へ向かわせることができるよう構成されている。例えば樹脂基板２１のベース樹脂には、白色顔料や気泡などが分散されている。これによって、実装基板６０に戻ってきた光を、再び拡散板側へ向かわせ、そして照明装置の外部へ出射させることができるようになる。このため、照明装置における光の利用効率を高めることができる。
【００３６】
このような反射特性を備えた樹脂基板２１を製造する方法が特に限られることはなく、公知の方法が適宜用いられ得る。例えば、ベースとなる樹脂材料の原料となるペレットと、白色顔料とを混合して溶融させ、これらの混合材料を押出成形等によって成形し、必要に応じて焼成する。これによって、白色顔料が分散された樹脂基板２１を得ることができる。白色顔料としては、酸化チタン、酸化カルシウム、酸化アルミニウム、酸化亜鉛などの白色のセラミックス材料を用いることができる。
【００３７】
好ましくは、樹脂基板２１は、光波長３８０ｎｍ〜７８０ｎｍの範囲内における全光線反射率が６０％〜９９％の範囲内となるよう、構成される。ここで「全光線反射率」とは、正反射率と拡散反射率の合計である。全光線反射率は、ＪＩＳ  Ｋ７３７５の全光線反射率測定法に準拠して求められ得る。具体的には、全光線反射率は、角度をつけて光を樹脂基板２１に入射させた場合の反射率を、分光光度計と、積分球試験台とを用いて光波長３８０ｎｍ〜７８０ｎｍにおいて１０ｎｍ間隔で測定し、それらの平均値を算出することによって求められ得る。なお、全光線反射率は、硫酸バリウムを含む標準白色板の反射率を１００％とした相対値として求められる。
【００３８】
（実装用電極部、配線および取り出し用電極部）
実装用電極部４１、配線４２および取り出し用電極部４３を構成する材料としては、導電性を有する材料が用いられ、例えば銅や銀などの金属材料が用いられる。なお、配線基板４０の反射特性を高めることを考慮すると、銀が用いられることが好ましい。
【００３９】
実装用電極部４１、配線４２および取り出し用電極部４３を構成する材料は、いずれも同一であってもよく、異なっていてもよい。例えば実装用電極部４１、配線４２および取り出し用電極部４３は、後述するように、同一の導電層２２をパターニングすることによって同時にかつ連続的に形成されるものであってもよい。所望の方向において配線基板４０および実装基板６０が可撓性を有する限りにおいて、実装用電極部４１、配線４２および取り出し用電極部４３の厚みや幅などの寸法が特に限られることはない。
【００４０】
配線４２は、所定の方向に沿って線状に延びるよう構成されている。図２Ａは、図１に示す実装基板６０から便宜的に反射層４４を取り除いた場合を示す平面図である。図２Ａに示す例において、配線４２は、第１方向Ｄ１や第２方向Ｄ２に沿って線状に延びる線状部分４２ａを含んでいる。ここで「線状」とは、幅方向における寸法に比べて、長さ方向における寸法が比較的に大きい、例えば１０倍以上である形態を意味している。また「線状」が意味する形状には、直線的な形状だけでなく、図２Ｂに示すようなジグザグ形状や、蛇行形状も含まれる。配線４２の線状部分４２ａを覆うよう設けられる後述する反射層４４の線状部分４４ａについても同様である。なお図２Ｂにおいては、反射層４４の線状部分４４ａによって覆われている配線４２の線状部分４２ａが、点線で表されている。
【００４１】
図２Ａに示すように、本実施の形態においては、樹脂基板２１の第１側部２１ｃが延びる第１方向Ｄ１に沿って複数の発光部品６１が並ぶように、配線基板４０に発光部品６１が実装されており、また第１方向Ｄ１に沿って並ぶ複数の発光部品６１は、配線４２を介して電気的に直列に接続されている。また配線４２は、隣接する２つの発光部品６１を電気的に接続するように、第１方向Ｄ１に沿って断続的に延びる部分を含んでいる。このように断続的に配線４２が延びている場合であっても、配線４２の１つの線分を仮想的に延長した線がその他の配線４２の線分に重なる場合、このような配線４２も線状部分４２ａと称され得る。
【００４２】
ところで、配線４２を構成する金属材料は、特有の金属光沢や色を有している。例えば、配線４２を構成する材料として一般的に用いられる銅は、青色の光や緑色の光に比べて赤色の光を強く反射し、このため銅によって反射された光は赤味を含むことになる。従って、配線４２が実装基板６０の表面に露出されている場合、照明装置から放射される光が、金属特有の色味を帯びてしまうことが考えられる。
【００４３】
（反射層）
このような課題を考慮し、好ましくは、本実施の形態において、反射層４４は、図３および図４に示すように、配線４２を覆うように設けられている。このため、実装基板６０に戻ってきた光が配線４２によって反射されることを抑制することができる。これによって、照明装置から出射される光に配線４２の色味の影響が現れてしまうことを抑制することができる。例えば、配線４２が銅から構成される場合に、銅に起因する赤味を帯びた光が照明装置から出射されることを抑制することができる。
【００４４】
光を反射し、これによって照明装置における光の利用効率を高めることができる限りにおいて、反射層４４の構成が特に限られることはない。例えば反射層４４は、白色のセラミックス材料や金属粉末などの反射性を有する白色顔料が包含された層として構成され得る。この場合、反射層４４は、はじめに、白色のセラミックス材料や金属粉末など反射性を有する白色顔料を含むペーストを樹脂基板２１の第１面２１ａ上に設け、次に、ペーストを焼き固めることによって形成される。ペーストを樹脂基板２１の第１面２１ａに設ける方法が特に限られることはなく、スクリーン印刷法などを適宜用いることができる。また反射層４４は、白色顔料や気泡などが内部に分散された基材を含んでいてもよい。この場合、白色顔料や気泡などが内部に分散された基材を、図示しない接着層や粘着層を介して樹脂基板２１の第１面２１ａに貼り付けることにより、反射層４４が形成される。白色顔料としては、樹脂基板２１内に分散される白色顔料の場合と同様に、酸化チタン、酸化カルシウム、酸化アルミニウム、酸化亜鉛などの白色のセラミックス材料を用いることができる。
【００４５】
好ましくは、反射層４４は、樹脂基板２１の場合と同様に、光波長３８０ｎｍ〜７８０ｎｍの範囲内における全光線反射率が６０％〜９９％の範囲内となるよう、構成される。
【００４６】
ところで上述のように、反射層４４を構成するセラミックス材料などの可撓性は、一般に、樹脂基板２１を構成する樹脂材料の可撓性に比べて低い。従って、樹脂基板２１および反射層４４を備える配線基板４０を曲げたりロール状に巻き取ったりすると、反射層４４にひび割れやヨレなどの不良が生じてしまうことが考えられる。また、反射層４４にこのような不良が発生しやすい場合、配線基板４０に許容される曲げの程度が制限されることになる。
【００４７】
このような課題を考慮し、本実施の形態においては、図１に示すように、線状に延びるように反射層４４を構成することを提案する。具体的には、図１に示すように、反射層４４は、第１方向Ｄ１や第２方向Ｄ２に沿って線状に延びる複数の線状部分４４ａを含んでいる。反射層４４のこれらの線状部分４４ａは、図１および図２Ａから明らかなように、配線４２の線状部分４２ａを覆うように構成されている。そして、反射層４４の隣接する２つの線状部分４４ａの間には、反射層４４が存在しないスリット部４５が形成されている。スリット部４５は例えば、配線４２が配置されていない場所において、樹脂基板２１の第１側部２１ｃが延びる第１方向Ｄ１に沿って延びるよう、形成されている。このようなスリット部４５が形成されるように反射層４４を構成することにより、樹脂基板２１の第１面２１ａのうち反射層４４が設けられている面積の比率を低減することができる。これによって、配線基板４０を曲げようとする際に、反射層４４の存在に起因して生じる、曲げに抵抗する力の大きさを低減することができる。このことにより、配線基板４０の曲げ易さを向上させることができる。また、反射層４４の面積を削減することにより、反射層４４にひび割れなどの不良が生じてしまう確率を低減することができ、これによって、配線基板４０の歩留りを向上させることができる。
【００４８】
また、反射層４４にスリット部４５が形成されていることは、スリット部４５が延びる方向に交差する方向に沿った断面図において配線基板４０を見た場合に、反射層４４が互いに分離されており、かつ各反射層４４の寸法が比較的に小さくなることを意味している。例えば図１に示すように、第１方向Ｄ１に沿って延びるスリット部４５が反射層４４に形成されている場合、第１方向Ｄ１に直交する第２方向Ｄ２に沿った断面図において配線基板４０を見ると、図４に示すように、互いに分離された、小さな寸法の複数の反射層４４が並ぶことになる。このため、配線基板４０が曲げられ、このため反射層４４に曲げ応力が加えられたとしても、互いに分離された、小さな寸法の複数の反射層４４の各々において、比較的に容易に、曲げ応力に起因する歪が解放され得る。従って、第１方向Ｄ１に沿って配線基板４０をロール状に巻き取るときなどに、反射層４４にひび割れやヨレなどが生じてしまうことを抑制することができる。すなわち、曲げに対する配線基板４０の耐性を高めることができる。また、配線基板４０の不良品率を低減することができる。
【００４９】
図示はしないが、第１方向Ｄ１に沿って延びるスリット部４５に加えて、第２方向Ｄ２に沿って延びるスリット部４５が反射層４４に形成されていてもよい。これによって、第２方向Ｄ２に方向に沿って配線基板４０を曲げるときなどにも、反射層４４にひび割れやヨレなどが生じてしまうことを抑制することができる。これによって、配線基板４０の不良品率をさらに低減することができる。
【００５０】
なお図１乃至図４においては、配線４２がほぼ全域にわたって反射層４４によって覆われる例が示されているが、これに限られることはない。配線４２の色味の影響が十分に小さい限りにおいて、配線４２が実装基板６０の表面に部分的に露出していてもよい。
【００５１】
（接合層）
図３，４において、符号６２は、発光部品６１を実装用電極部４１に接合して発光部品６１を実装用電極部４１に電気的に接続するために発光部品６１と実装用電極部４１との間に介在される接合層を表している。接合層６２を構成する材料としては、例えばリフロー工程において実装用電極部４１上に塗布されるクリーム半田を挙げることができる。クリーム半田とは、フラックスなどのバインダー材と、バインダー材の中に分散され、リフロー工程の際に溶融する金属粉末と、を含むものである。なお図３，４においては、発光部品６１と実装用電極部４１との間に接合層６２が明確に介在される例を示したが、これに限られることはない。発光部品６１を実装用電極部４１に結合して発光部品６１を実装用電極部４１に電気的にすることができる限りにおいて、接合層６２の形状や配置が特に限られることはない。
【００５２】
ところでリフロー工程においては、配線基板４０の少なくとも実装用電極部４１およびその周辺部分が、少なくとも接合層６２に含まれる半田の融点以上の温度まで加熱される。以下の記載において、加熱された配線基板４０が到達する温度の最大値を、到達温度とも称する。本実施の形態による配線基板４０においては、到達温度が高くなると、オリゴマーの析出や、樹脂基板２１や反射層４４の変色が生じやすくなり、この結果、配線基板４０の反射率が低下してしまうと考えられる。従って、リフロー工程を実施する際の温度を可能な限り低く設定し、これによって配線基板４０の到達温度を低くすることが好ましい。
【００５３】
このような点を考慮し、本件発明者らは、接合層６２に含まれる半田として、１８０℃以下の温度で、より好ましくは１５０℃以下の温度で融解する低融点半田を用いることを提案する。この場合、配線基板４０の到達温度を１８０℃以下に、より好ましくは１５０℃以下にすることができ、これによって、樹脂基板２１の表面にオリゴマーが析出してしまうことや、樹脂基板２１や反射層４４が変色してしまうことを抑制することができる。
【００５４】
１８０℃以下の温度で融解する限りにおいて、接合層６２に含まれる低融点半田が特に限られることはない。例えば低融点半田として、４２重量％〜４３重量％の錫と、５７重量％〜５８重量％のビスマスと、を含む半田を用いることができる。その他にも、錫、ビスマスおよび銀を含む半田などを用いることもできる。
【００５５】
次に、このような構成からなる本実施の形態の作用および効果について説明する。ここでは、長尺状の積層体を加工して上述の配線基板４０を作製し、配線基板４０上に発光部品６１を実装して上述の実装基板６０を作製する方法について説明する。
【００５６】
（配線基板の製造方法）
はじめに、図５に示す積層体２０を準備する。積層体２０は、長尺状の樹脂基板２１と、樹脂基板２１の第１面２１ａ上に設けられた導電層２２と、を含んでいる。次に、積層体２０の導電層２２をパターニングすることによって、図６に示すように、樹脂基板２１の第１面２１ａ側に実装用電極部４１および配線４２を形成する。この際、同時に導電層２２から取り出し用電極部４３が形成されてもよい。
【００５７】
導電層２２をパターニングする方法としては、実装用電極部４１や配線４２に対応したパターンで導電層２２上に設けられた感光層をマスクとして導電層２２をエッチングする方法や、実装用電極部４１や配線４２に対応したパターンで導電層２２にレーザーを照射するレーザーアブレーション法など、公知の方法が適宜用いられ得る。
【００５８】
その後、図７に示すように、樹脂基板２１の第１面２１ａ側に反射層４４を形成する反射層形成工程を実施する。これによって、長尺状の配線基板４０を得ることができる。この際、反射層４４は、上述のように、配線４２の線状部分４２ａを覆うよう線状部分４２ａに沿って線状に延びる複数の線状部分４４ａを含むよう、構成される。この結果、図１に示すように、反射層４４の隣接する２つの線状部分４４ａの間には、反射層４４が存在しないスリット部４５が形成される。好ましくは、反射層形成工程は、樹脂基板２１を第１方向Ｄ１に搬送しながら実施される。
【００５９】
図７に示すように、樹脂基板２１の第２面２１ｂ側には、粘着層２４が設けられてもよい。粘着層２４は、配線基板４０や実装基板６０を後述する支持部材８１に取り付けるためのものである。粘着層２４を予め設けておくことにより、支持部材８１の取付工程を容易化することができる。図７に示すように、粘着層２４上には、粘着層２４の粘着面を保護するための剥離シート２５が設けられていてもよい。粘着層２４を構成する材料としては、例えばアクリル、エポキシ、ウレタンなどを用いることができる。
【００６０】
その後、得られた長尺状の配線基板４０を巻き取ってロール状にする。ここで本実施の形態によれば、スリット部４５が形成されるように反射層４４を作製することにより、樹脂基板２１の第１面２１ａのうち反射層４４が設けられている面積の比率を低減することができる。これによって、配線基板４０を曲げて巻き取る際に、反射層４４の存在に起因して生じる、曲げに抵抗する力の大きさを低減することができる。このことにより、配線基板４０の巻き取り易さを向上させることができる。また、反射層４４に曲げ応力が加えられるときに、互いに分離された、小さな寸法の複数の反射層４４の各々において、比較的に容易に、曲げ応力に起因する歪が解放され得る。このため、配線基板４０を巻き取る際に、ひび割れなどの不良が反射層４４に発生しまうことを抑制することができる。
【００６１】
（実装基板の製造方法）
次に図８を参照して、実装基板製造装置５０を用いて実装基板６０を製造する方法について説明する。
【００６２】
はじめに図８に示すように、ロール状に巻かれた長尺状の配線基板４０を保持する巻出部５１を準備する。次に、巻出部５１から配線基板４０を巻き出す。次に図８に示すように、配線基板４０の実装用電極部４１上に接合層６２を設ける。例えば、塗布部５２を用いて、接合層６２を構成するためのクリーム半田を実装用電極部４１上に塗布する。その後、実装部５３を用いて、接合層６２が設けられた実装用電極部４１上に発光部品６１を実装する実装工程、いわゆるリフロー工程を実施する。具体的には、はじめに、接合層６２が設けられた実装用電極部４１上に発光部品６１を載置し、次に、配線基板４０のうち少なくとも発光部品６１が載置された実装用電極部４１の部分を加熱して接合層６２を溶融させる。これによって、発光部品６１が実装用電極部４１に接合される。次に、切断部５４を用いて、発光部品６１が実装された配線基板４０を、第１方向Ｄ１に直交する第２方向Ｄ２において切断する。これによって、発光部品６１が実装された実装基板６０を得ることができる。
【００６３】
ここで本実施の形態によれば、上述のスリット部４５を形成することにより、反射層４４の面積が削減されている。このため、樹脂基板２１の熱膨張率と反射層４４の熱膨張率とが異なる場合であっても、熱に起因して反射層４４が樹脂基板２１から剥離してしまうことや、反射層４４にひび割れが生じてしまうことを抑制することができる。
【００６４】
また本実施の形態によれば、上述のように、実装用電極部４１上に塗布されるクリーム半田として、１８０℃以下の温度で融解する低融点半田を含むものが用いられる。このため、実装工程の際に配線基板４０が到達する到達温度を１８０℃以下にすることができる。これによって、実装工程の際の加熱に起因して樹脂基板２１の表面にオリゴマーが析出してしまうことや、樹脂基板２１や反射層４４が変色してしまうことを抑制することができる。このことにより、実装工程の際の加熱に起因して配線基板４０の反射率が低下してしまうことを抑制することができる。
【００６５】
また本実施の形態によれば、実装工程の際に配線基板４０が到達する到達温度を１８０℃以下にすることができるので、配線基板４０の樹脂基板２１を構成する樹脂材料として、耐熱性の低いものを用いることが可能になる。すなわち、樹脂基板２１を選択する際の自由度が高くなる。また、ポリエステル樹脂、エポキシ樹脂、または、ポリイミド樹脂などの、比較的に低い耐熱性を有する樹脂材料を用いることが可能になる。このため、高い耐熱性を有する樹脂材料を用いて樹脂基板２１を構成する場合に比べて、樹脂基板２１に要するコストを削減することができる。
【００６６】
（照明装置の製造方法）
その後、発光部品６１が実装された配線基板４０を支持部材８１に取り付ける工程を実施してもよい。これによって、図９に示すように、実装基板６０と、樹脂基板２１の第２面２１ｂ側で実装基板６０に取り付けられた支持部材８１と、を備える照明装置８０を得ることができる。なお照明装置８０は、図９に示すように、実装基板６０のうち発光部品６１が実装されている側で実装基板６０との間に間隔を空けて設けられた拡散板８２をさらに備えていてもよい。拡散板８２としては、光拡散剤として機能する照明カバーなどが用いられ得る。
【００６７】
図９において、符号Ｌ１が付された矢印は、発光部品６１から出射された光を表している。発光部品６１から出射された光Ｌ１のうち、拡散板８２の法線方向にほぼ沿って拡散板８２に入射した光の大部分は、拡散板８２を透過して利用者側に至る。一方、発光部品６１から出射された光Ｌ１のうち、拡散板８２の法線方向から傾斜した方向に沿って拡散板８２に入射する光は、拡散板８２によって反射されて実装基板６０に戻ることがある。このような戻り光の一部は、図９において矢印Ｌ２１で示すように、樹脂基板２１によって反射されて再び拡散板８２へ向かい、そして拡散板８２を透過して利用者側に至る。またその他の戻り光は、図９において矢印Ｌ２２で示すように、配線４２を覆うように設けられた反射層４４によって反射されて再び拡散板８２へ向かい、そして拡散板８２を透過して利用者側に至る。このように本実施の形態においては、樹脂基板２１および反射層４４の両方が反射特性を有するので、反射層４４の線状部分４４ａ間にスリット部４５が形成されている場合であっても、実装基板６０に戻ってきた光を十分に高い反射率で拡散板８２に向けて反射させることができる。このため、曲げや熱に対する配線基板４０および実装基板６０の耐性を十分に高めながら、照明装置８０における光の利用効率を十分に高くすることができる。
【００６８】
また本実施の形態によれば、上述のように低融点半田を用いることにより、樹脂基板２１や反射層４４が変色してしまうことや、樹脂基板２１の表面にオリゴマーが析出してしまうことが抑制されている。このため、樹脂基板２１や反射層４４における光の反射率をより高い値に維持することができる。
【００６９】
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００７０】
（反射層の変形例）
上述の本実施の形態においては、反射層４４に形成されるスリット部４５が、樹脂基板２１の第１側部２１ｃが延びる第１方向Ｄに沿って延びる例を示した。しかしながら、反射層４４の面積を低減し、これによってひび割れなどの不良が反射層４４に生じる確率を低減することができる限りにおいて、スリット部４５が延びる方向が特に限られることはない。例えば、第１方向Ｄ１に直交する第２方向Ｄ２に沿って延びるスリット部４５が形成されるように、反射層４４を作製してもよい。また、第１方向Ｄ１および第２方向Ｄ２のいずれに対しても傾斜する方向に沿って延びるスリット部４５が形成されるように、反射層４４を作製してもよい。
【００７１】
（実装工程の変形例）
上述の本実施の形態の実装工程においては、接合層６２に含まれる半田として、１８０℃以下の温度で融解する低融点半田が用いられ、この結果、実装工程の際の配線基板４０の到達温度が１８０℃以下になる例を示した。しかしながら、これに限られることはなく、接合層６２に含まれる半田として、融点が約２６０℃の一般的な鉛フリー半田を用いてもよい。
【００７２】
（実装用電極部の変形例）
また上述の本実施の形態においては、導電層２２をパターニングすることによって実装用電極部４１や配線４２を形成する例を示した。しかしながら、これに限られることはなく、導電性ペーストなどを樹脂基板２１の第１面２１ａ上に、実装用電極部４１や配線４２の形状に対応するパターンで印刷し、そしてペーストを乾燥させることにより、実装用電極部４１や配線４２を形成してもよい。
【００７３】
（その他の変形例）
また上述の本実施の形態においては、長尺状の配線基板４０の上に発光部品６１が実装される例を示した。しかしながら、これに限られることはなく、配線基板４０を切断した後、枚葉の配線基板４０上に発光部品６１を実装してもよい。
【００７４】
また上述の本実施の形態においては、発光部品６１が実装された後の配線基板４０に対して、すなわち実装基板６０に対して支持部材８１が取り付けられる例を示したが、これに限られることはない。例えば、発光部品６１が実装される前の配線基板４０に対して支持部材８１を取り付け、その後、配線基板４０の実装用電極部４１に発光部品６１を実装してもよい。
【００７５】
また上述の本実施の形態においては、反射層４４の隣接する２つの線状部分４４ａの間に形成されたスリット部４５において、樹脂基板２１の第１面２１ａ上に何ら部材が設けられていない例を示した。しかしながら、配線基板４０の曲げ易さを向上させることができる限りにおいて、スリット部４５に何らかの部材が設けられたり、何らかの材料が充填されたりしていてもよい。例えばスリット部４５に、反射層を構成する材料よりも柔軟な材料が充填されていてもよい。すなわち本願において、「スリット部」とは、反射層４４が分断されている領域を意味しており、そこに反射層４４以外の部材や材料が設けられているかどうかは問われない。
【００７６】
なお、上述した実施の形態に対するいくつかの変形例を説明してきたが、当然に、複数の変形例を適宜組み合わせて適用することも可能である。
【符号の説明】
【００７７】
２０  積層体
２１  樹脂基板
２２  導電層
２４  粘着層
４０  配線基板
４１  実装用電極部
４２  配線
４２ａ  線状部分
４３  取り出し用電極部
４４  反射層
４４ａ  線状部分
４５  スリット部
６０  実装基板
６１  発光部品
６２  接合層
８０  照明装置
【図１】
0006565153.tif 000002
【図２Ａ】
0006565153.tif 000003
【図２Ｂ】
0006565153.tif 000004
【図３】
0006565153.tif 000005
【図４】
0006565153.tif 000006
【図５】
0006565153.tif 000007
【図６】
0006565153.tif 000008
【図７】
0006565153.tif 000009
【図８】
0006565153.tif 000010
【図９】
0006565153.tif 000011